(57)【要約】      （修正有）【課題】  本発明は、門又は塀に使用するブロック体であるが、景観上は勿論通風性の向上及び防犯上或いはヒートアイランド等の環境悪化を改善するためのブロック体及び門又は塀の積み重ね構造の提供。【解決手段】  従来のコンクリートブロックの高さ寸法のみを低くし、その長さ方向の端部に上下左右の嵌合用の貫通孔を有するブロック体1と、中心部に嵌合用の貫通孔を有する端部用のブロック体パーツ3を提案し、かつ本発明品を用いて適宜の開口部5を持たせ、通風性の改善は勿論、防犯上かつ景観にも優れ、作業工程も大幅に短縮が可能な門又は塀を構築できる構造。【選択図】図４
2006249722.tif 000002
【特許請求の範囲】
【請求項１】
門又は塀の主体部を構成する多面体のブロックにおいて、その高さのみを２０mm乃至２００mmとし、ブロック長辺の両端部に上下左右のブロックとの連結又は強度保持用の鉄筋又は鋼管を貫通させ得る径２０mm乃至１００mmの貫通孔を有するブロック体。
【請求項２】
門又は塀の端部を構成する多面体のブロックにおいて、その高さのみを２０mm乃至２００mmとし、その中心部に上下左右のブロック体との連結及び強度保持用の鉄筋又は鋼管を貫通させ得る径２０mm乃至１００mmの貫通孔を有するブロック体パーツ。
【請求項３】
門又は塀の主体部又は端部を構成する多面体のブロックにおいて、上下左右とのブロックとの嵌合性を確実にするため、貫通孔周辺に山部及び谷部を形成したことを特徴とする請求項１記載のブロック体及び請求項２記載のブロック体パーツ。
【請求項４】
ブロックを構成する素材に、コンクリートのほか、自然石、木材、樹脂、煉瓦，磁器又はそれらの合成材を用いて成形することを特徴とする請求項１乃至請求項３に記載のブロック体及びブロック体パーツ。
【請求項５】
ブロックを構成する素材に樹脂又は樹脂を含む合成材を用い、そのブロック本体に中空部を設け軽量化したことを特徴とする請求項１乃至請求項３に記載のブロック体及びブロック体パーツ。
【請求項６】
ブロックを構成する素材に樹脂又は樹脂を含む合成材を用い、一部に強度補強用の金属又は高強度繊維等を組み込むことを特徴とする請求項５記載のブロック体及びブロック体パーツ。
【請求項７】
門又は塀を構成する多面体のブロックにおいて、その外周面に目視景観の向上を図るための直線又は曲線若しくは文字又は図形を成形したことを特徴とする請求項１乃至請求項６に記載のブロック体及びブロック体パーツ。
【請求項８】
請求項１乃至請求項７に記載のブロック体及びブロック体パーツを用いて、上下左右に交互とする千鳥積配置又は上下に交互積み重ね合わせるいも積配置として開口部を持たせることを特徴とする門又は塀の構造。
【請求項９】
門又は塀を構築するブロックの積み重ねにおいて、門又は塀の全部又は一部若しくはそれらの組み合わせにより開口部を持たせることを特徴とする請求項８記載の門又は塀の構造。
【請求項１０】
請求項１乃至請求項７に記載のブロック体及びブロック体パーツをボルト、ナットを用いて固定し、ブロック体及びブロック体パーツ間の接続固定用モルタルを用いずに乾式工法で構築する請求項８乃至請求項９に記載の門又は塀の構造。
【発明の詳細な説明】
【技術分野】
【０００１】
本発明は、門又は塀に使用するブロックに関するものであるが、景観上及び防犯上或
はヒートアイランド等の環境悪化を軽減する為のブロック及びブロック積み重ね構造に
関するものである。
【背景技術】
【０００２】
塀用のコンクリートブロックは住宅地における隣家等との境界隔離が主な目的で製造及び使用されているため、閉鎖的な垣根としての目的及び有用性には優れているが、通風性に欠けるため特に西面に構築された塀は夏季に昇温し、蓄熱効果による夜間の蒸し暑さは勿論、都市のヒートアイランド現象を助長するなどの弊害もある。
【０００３】
また、近年、外部からの視線を遮断していることが逆に悪用され、日中に空き巣等の被害を受けても、目撃情報が得られにくいなど社会問題にも悪影響が出始めている。特に重大犯罪の発生につながる弊害も発現しつつある。
【発明の開示】
【発明が解決しようとする課題】
【０００４】
既存のコンクリートブロックを用いて構築された門又は塀は、従前の目的から完全遮断構造が主流であるが、一部には美観上を向上させるためにブロック本体がデザイン性を持たせた通風可能な貫通した空隙をもったブロックを組み合わせることが実施されているが、形状が限定されかつ大きな通風又は開口面積を得ることは困難である。
【０００５】
コンクリートブロックを用いて門又は塀を構築する時に適宜の開口部を設ける先行事例として特開平８−２３２３６９号公報及び実用新案出願公開昭８−１２６３０８号公報にも示されているが、積み重ねパターンが限定され、開口部などが不十分であり、大きな面積の通風性が確保出来ない。また社会問題でもある、防犯上の問題と都市部のヒートアイランド現象を軽減するための効果は殆ど有していないなどの問題がある。
【０００６】
【特許文献１】特開平８−２３２３６９号公報
【特許文献２】実用新案出願公開昭８−１２６３０８号公報
【課題を解決するための手段】
【０００７】
しかる問題を解決すべく本発明者は、ブロック自体は複雑な形状を有することなく、上下左右に位置するブロックとの接合部分に新たな技術を導入し、その積み重ねをアレンジすることにより、より大きな開口部を確保し、且つ景観上にも優れ、従来の課題を全て解消し新たな機能を発揮するほか、現場作業工程を短縮できるブロック及びその積み重ね構造を提供する。
以下請求項毎に説明を加える。
【０００８】
請求項１記載のブロック体について、ブロック体貫通孔中心間寸法は、通常のコンクリートブロックの縦筋配置寸法と同等とする。高さ寸法は２０mm乃至２００mmの範囲であるが、美観的な感覚と材料単価及び施工性の観点からすれば５０mm乃至６０mmが好ましい。
【０００９】
長さ方向の端部は円弧状のほか特別の形状にとらわれることなく多角形などの好みの形状とすることもできる。
【００１０】
長さ方向の端部近傍には高さ方向に上下左右のブロック体との結合用及び強度補強用の鉄筋又は鋼管を貫通させるための貫通孔を設けることがブロック体の特徴でもある。この貫通孔の大きさは２０ｍｍ乃至１００mmとするが、好ましくは４０mm乃至８０mmであり、形状については円が製造上有利であるが強度上の問題が少なければ多角形のどのような形状でも構わない。
【００１１】
請求項２記載のブロック体パーツについて、ブロック体パーツは門又は塀を構築する場合の端部を形成するため及びブロック体を上下に交互積み重ね合わせるいも積配置に積み上げる場合の接続用として用いることを目的とする。ブロック体パーツの幅及び高さ寸法はブロック体と同一とするが、美観的な感覚と施工性の観点からすれば、その高さ寸法は５０mm乃至１２０mmが好ましい。
【００１２】
形状については本発明のブロック体との整合性及び美観性を考慮して、円弧状は勿論この形状にとらわれることなく多角形などの好みの形状とすることもできる。
【００１３】
ブロック体パーツの中心部には上下左右のブロック体との結合用及び強度補強用の鉄筋又は鋼管を貫通させるための貫通孔を設けることがブロック体パーツの特徴でもある。この貫通孔の大きさは２０ｍｍ乃至１００mmとするが、強度を考慮すると好ましくは４０mm乃至８０mmであり、形状については円が製造上有利であるが強度上の問題が少なければ多角形のどのような形状でも構わない。
【００１４】
請求項３記載の発明について、ブロック体及びブロック体パーツの貫通孔周辺に適宜の大きさや形状をもった山部及び谷部を形成することにより、上下左右のブロック体及びブロック体パーツとの連結及び嵌合を容易かつ確実に行わせることが可能である。
ブロック体又はブロック体パーツの下面に山部を設けた場合、上面は谷部を設け、またブロック体の左端部の貫通孔近傍に山部を設けた場合、右端部の貫通孔近傍は谷部とすることで、門や塀として構築、積み上げる場合の位置決めや嵌合が容易かつ確実となることは言うまでもない。
【００１５】
請求項４記載の発明について、本発明のブロック体及びブロック体パーツは、通常コンクリート製とすることが製造コスト上優位であるが、利用者のニーズに基づいて自然石や木材及び、樹脂、煉瓦、磁器等又はそれらの合成材を用いて成形することも可能であり、成形可能な素材であれば特にこだわるものではない。
【００１６】
請求項５記載の発明について、本発明のブロック体及びブロック体パーツを成形する素材に樹脂又は樹脂を含む合成材を用いる場合、使用材料を軽減及び軽量化し経済性から見た実用性を持たせるためにブロック体及びブロック体パーツの内部の一部を中空構造とする。
【００１７】
請求項６記載の発明について、本発明のブロック体及びブロック体パーツを成形する素材に樹脂又は樹脂を含む合成材を用いて、使用材料を軽減及び軽量化し経済性から見た実用性を持たせるためにブロック体及びブロック体パーツの内部の一部を中空構造とする場合、強度的に弱体化することを補強するために、一部に強度補強用の金属又は高強度繊維等を組み込む構造とする。
【００１８】
請求項７記載の発明について、本発明のブロック体及びブロック体パーツを用いて門又は塀を構築する場合、ブロック体及びブロック体パーツ表面は平滑な面が製造上容易であるが、デザイン性を鑑み直線又は曲線若しくは文字又は図形を凹凸状に形成することにより、より景観に整合する美観性表現が可能である。
【００１９】
請求項８記載の発明について、本発明のブロック体及びブロック体パーツを用いて門又は塀を構築する場合の構造について、単純なる積み重ねによる適宜の開口部を持たせて形成することが出来るが、実施事例としてのブロック体とブロック体パーツを交互に順次積み上げるいも積配置やブロック体のみを上下左右に交互積み上げとする千鳥積配置の積み重ねも可能であり、美的感覚及び防犯性若しくは開口部による通風性の向上を図ることができる。また、本発明品を適宜に組み合わせることで各種のバリエーション性を有しており、開口部を形成することにより美的感覚及び防犯性若しくは通風性の向上を図ることの目的を達成できれば、門又は塀の構造に関して特段のデザイン性にはこだわるものではない。
【００２０】
請求項９記載の発明について、本発明品を用いて門又は塀を構築するブロックの積み重ねにおいて、門又は塀の全部を、開口部を有する門又は塀構造とすることのほか、既存のコンクリートブロックの門又は塀の一部に、本発明を適宜組み合わせることによる開口部を有する構造とすることも可能である。
また、下部は遮蔽性を重視し従来のコンクリートブロックの門又は塀とし、上部は本発明の開口部を有する門又は塀とするなど、開口部を形成することによる美的感覚及び防犯性若しくは通風性の向上を図ることの目的を達成できれば、その構造にこだわるものではない。
【００２１】
請求項１０記載の発明について、本発明品のブロック体及びブロック体パーツを用いて門叉は塀を構築する場合、接続固定用のモルタルをまったく使用せず、ボルト、ナットを用いて接続固定して門又は塀を構築することが可能である。この場合、耐久性、強度のある素材で固定できる物であれば、素材はもとより形状もボルトやナットにこだわらない。
【発明の効果】
【００２２】
本発明のブロック体及びブロック体パーツは複雑な形状を有することなく、上下左右に位置するブロック体との接合部分に新たな構造及び技術を導入し、その積み重ねをアレンジメントすることにより、より大きな通風性をもった開口部を確保し、かつ景観上にも優れ、従来の課題を全て解消し、新たな機能を発揮するブロック体及びブロック体パーツとその積み重ね構造を提供することができる。
【００２３】
本発明品を用いて、請求項８乃至請求項９記載の門又は塀を構築すると、適度な開口部をもっているため、外部からの視認性もあり、空き巣等の防犯効果が得られる。
【００２４】
また、ブロック体及びブロック体パーツを用いて門又は塀を構築する場合、接続固定用モルタル又は充填用材料を全く必要としないで、ボルト、ナットを用いて接続固定することにより門又は塀構築の際の現場積層作業が単純化され、作業工程を大幅に短縮できるなどの効果も有している。
【００２５】
本発明品のブロック体及びブロック体パーツは複雑な形状を有することなく、ブロック体及びブロック体パーツを用いて上下左右に交互とする千鳥積配置又は上下に交互積み重ね合わせによるいも積配置とすることができる。又千鳥積配置といも積配置を組み合わせた門又は塀も構築でき、積み重ねをアレンジすることにより、デザイン性に優れバリエーション豊富な門又は塀を構築できる効果がある。
【発明を実施するための最良の形態】
【００２６】
請求項１記載の発明を図１により説明する。ブロック体１の幅Ｗ１は通常のコンクリートブロックの寸法を基本とするが、ブロック体貫通孔中心間寸法Ｌ１は通常のコンクリートブロックの縦筋配置寸法と同等とする。高さＨ１の寸法は２０mm乃至２００mmの範囲であるが、美観的な感覚と材料単価及び施工性の観点からすれば５０mm乃至６０mmが好ましい。
【００２７】
その外観形状は多面体のブロック体であり、長さ方向の両端部であるａ及びbは円弧状のほか特別の形状にとらわれることなく多角形などの好みの形状とすることもできる。
【００２８】
長さ方向の両端部であるａ及びｂの近傍には高さ方向に上下左右の本発明のブロック体１との結合用及び強度補強用の鉄筋又は鋼管を貫通させるための貫通孔２を設けることが本発明のブロック体１の特徴である。この貫通孔２の径は２０ｍｍ乃至１００mmとするが、好ましくは４０mm乃至８０mmであり、形状については円が製造上有利であるが、強度上の問題が少なければ多角形のどのような形状でも構わない。
【００２９】
請求項２記載の発明を図２により説明する。ブロック体パーツ３は門又は塀を構築する場合の端部を形成するため及びブロック体を上下に交互積み重ね合わせるいも積配置に積み上げる場合の接続用として用いることを目的としている。大きさについては、幅Ｗ２寸法をブロック体１の幅Ｗ１と同一とし、長さＬ２は幅Ｗ２以上乃至ブロック体１の長さの５０％以下であり、高さＨ２寸法は２０mm乃至２００mmの範囲とする。高さＨ２については美観的な感覚と材料単価及び施工性の観点からすれば５０mm乃至６０mmが好ましい。
【００３０】
形状については本発明のブロック体１との嵌合性を考慮して、円弧状は勿論この形状にとらわれることなく多角形などの好みの形状とすることもできる。
【００３１】
ブロック体パーツ３の中心部には上下左右のブロック体１との結合用及び強度補強用の鉄筋又は鋼管を貫通させるための貫通孔４を設けることがブロック体パーツ３の特徴でもある。この貫通孔４の径はブロック体１と同じ寸法の２０ｍｍ乃至１００mmとするが、強度を考慮すると好ましくは４０mm乃至８０mmである。形状については円が製造上有利であるが強度上の問題が少なければ多角形のどのような形状でも構わない。
【００３２】
請求項３記載の発明について図3を用いて説明する。ブロック体１の貫通孔２近傍及びブロック体パーツ３の貫通孔４周辺に適宜の大きさや形状をもった嵌合用谷部６及び嵌合用山部７を形成することにより、上下左右のブロック体１及びブロック体パーツ３との連結及び嵌合を容易かつ確実に行わせることが可能である。
【００３３】
前記の場合のブロック体１及びブロック体パーツ３の下面に嵌合用山部７を設けた場合、上面は嵌合用谷部６を設け、またブロック体１の端部ａの貫通孔２近傍に嵌合用山部７を設けた場合、下面及び端部ｂの貫通孔２近傍は嵌合用谷部６とすることで、門又は塀として構築、積み上げる場合の位置決めや嵌合が容易かつ適切となる。
【００３４】
請求項４記載の発明について説明する。本発明のブロック体１及びブロック体パーツ３は、通常コンクリート製とすると製造コスト面で優位であるが、利用者のニーズに基づいて自然石や木材及び、樹脂、煉瓦、磁器又はそれらの合成材等を用いて成形することも可能であり、成型可能な素材であれば特にこだわるものではない。
【００３５】
請求項５記載の発明について説明する。ブロック体１及びブロック体パーツ３を成型する素材に樹脂又は樹脂を含む合成材を用いる場合、寸法精度と色彩の多様化には優れているものの、素材コストは他の素材に比べて高価であることに鑑み、使用材料を軽減及び軽量化し経済性から見た実用性を持たせるためにブロック体１及びブロック体パーツ３の内部の一部を任意の形状の中空構造とする。
【００３６】
請求項６記載の発明について説明する。ブロック体１及びブロック体パーツ３を成型する素材に樹脂又は樹脂を含む合成材を用いる場合、強度的に弱体化することを補強するために、成形するブロック体１及びブロック体パーツ３の樹脂又は樹脂を含む合成材の内部に強度補強用の金属又は高強度繊維等を含有させる。
【００３７】
請求項７記載の発明について説明する。ブロック体１及びブロック体パーツ３を用いて門又は塀を構築する場合、ブロック体１及びブロック体パーツ３の表面は平滑な面が製造面では容易かつ価格的に優位であるが、デザイン性を鑑み直線又は曲線若しくは文字又は図形を用いて形成することにより、より景観にマッチする表現構造とする。
【００３８】
請求項８記載の発明について図４を用いて説明する。ブロック体１及びブロック体パーツ３を用いて門又は塀を構築する場合の構造について、単純なる積み重ねによる適宜の開口部５を形成することが出来るが、実施事例としてのブロック体１とブロック体パーツ３を上下に交互積み重ね合わせとするいも積配置Ａとすることのほか、上下左右に交互積み上げとする千鳥積配置Ｂとする積み重ね構造としたことで大きな開口部を確保する。
【００３９】
前記のほか、ブロック体１及びブロック体パーツ３を適宜に組み合わせことで各種のバリエーション性を有しており、開口部５を形成することによる美的感覚及び防犯性若しくは通風性の向上を図ることの目的を達成できれば、門又は塀の構造に関して特段のデザイン性にはこだわるものではない。
【００４０】
請求項９記載の発明について図５を用いて説明する。ブロック体１及びブロック体パーツ３用いて門又は塀を構築するブロックの積み重ねにおいて、門又は塀の全てにわたって開口部５を有する門又は塀構造とすることのほか、門又は塀の一部を、ブロック体１及びブロック体パーツ３を適宜組み合わせることによる開口部５を有する構造とする事も可能である。
【００４１】
門又は塀の下部を既存のコンクリートブロックとして遮蔽性を持たせ、上部をブロック体１及びブロック体パーツ３用いた開口部５を有する門又は塀とするなど、開口部を形成することによる美的感覚及び防犯性若しくは通風性の向上を図ることの目的を達成できれば、その組み合わせ構造にこだわるものではない。
【００４２】
請求項１０記載の発明について図６を用いて説明する。ブロック体１及びブロック体パーツ３をいも積あるいは千鳥積により構築施工する場合、接続固定用のモルタルを用いずに、ナット８、ボルト９並びにプレート１０を付加することで上下を堅固に止めることによりブロック体１及びブロック体パーツ３の隙間なく固定させることができる。この結果使用材料の低減化はもとより門又は塀構築の際の現場積層作業が単純化され、作業工程を大幅に短縮できる。この場合、ナット８、ボルト９並びにプレート１０は耐久性、強度が確保できればその素材や形状は特に特定するものではない。
【実施例１】
【００４３】
図４は単なる積み上げによる実施例を示す。Ａはブロック体１及びブロック体パーツ３をいも積配置に積み上げた場合の塀の正面図であり、大凡３０％程度の開口部５をもった塀を構築することのできる一例である。
【００４４】
またＢはブロック体１を上下左右に交互に配置した千鳥積配置とした塀の正面図であり、開口部５を５０％近く設けられる塀を構築することのできる一例である。
【図面の簡単な説明】
【００４５】
【図１】門又は塀の主体を構成するブロック体の斜視図
【図２】門又は塀の端部を構成するブロック体パーツの斜視図
【図３】ブロック体の貫通孔近傍の嵌合用山部及び谷部図
【図４】本発明品を用いて構築したいも積配置例及び千鳥積配置例の塀構造図
【図５】本発明品によるブロック塀の一例（イメージ）
【図６】本発明品を使用してボルト、ナットを用いて構築した例の塀構造図
【符号の説明】
【００４６】
１・・・ブロック体
２・・・ブロック体貫通孔
３・・・ブロック体パーツ
４・・・ブロック体パーツ貫通孔
５・・・開口部
６・・・嵌合用谷部
７・・・嵌合用山部
８・・・ナット
９・・・ボルト
１０・・プレート
Ｗ１・・・ブロック体の幅
Ｗ２・・・ブロック体パーツの幅
Ｈ１・・・ブロック体の高さ
Ｈ２・・・ブロック体パーツの高さ
Ｌ１・・・ブロック体貫通孔中心間寸法
Ｌ２・・・ブロック体パーツの長さ
ａ・・・・端部
ｂ・・・・端部
【図１】
2006249722.tif 000003
【図２】
2006249722.tif 000004
【図３】
2006249722.tif 000005
【図４】
2006249722.tif 000006
【図５】
2006249722.tif 000007
【図６】
2006249722.tif 000008